(57)【要約】【課題】被記録媒体に記録された画像における画像不良を効率よく補修する。【解決手段】被記録媒体Ｐに画像を記録する記録部３と、記録部３で記録された画像における画像不良を検出する検出部４と、記録部３とは別に設けられ、検出部４で検出された画像不良に対して補修記録を行う補修記録部５と、を備えることを特徴とする記録装置１。このような構成の記録装置１により、被記録媒体Ｐに記録された画像における画像不良を効率よく補修する。【選択図】図１
2015160357.tif 000002
【特許請求の範囲】
【請求項１】
被記録媒体に画像を記録する記録部と、
前記記録部で記録された画像における画像不良を検出する検出部と、
前記記録部とは別に設けられ、前記検出部で検出された画像不良に対して補修記録を行う補修記録部と、
を備えることを特徴とする記録装置。
【請求項２】
請求項１に記載の記録装置において、
前記記録部で記録された前記被記録媒体を集積する主集積部と、
前記検出部の検出結果に基づいて前記被記録媒体を前記主集積部又は前記補修記録部に搬送する第１搬送部と、
前記補修記録部に搬送された前記被記録媒体を前記主集積部に搬送する第２搬送部と、
を備えることを特徴とする記録装置。
【請求項３】
請求項２に記載の記録装置において、
前記被記録媒体の搬送経路において前記検出部と前記主集積部との間に設けられ、前記記録部で記録された前記被記録媒体を一時的に集積する副集積部を備えることを特徴とする記録装置。
【請求項４】
請求項３に記載の記録装置において、
前記副集積部を複数備えることを特徴とする記録装置。
【請求項５】
請求項４に記載の記録装置において、
前記副集積部として、前記検出部で画像不良が検出された前記被記録媒体を一時的に集積する第１副集積部と、前記検出部で画像不良が検出されなかった前記被記録媒体を一時的に集積する第２副集積部と、を備えることを特徴とする記録装置。
【請求項６】
請求項１から５のいずれか１項に記載の記録装置において、
前記記録部の修復部を備え、
前記修復部は、前記補修記録部で補修記録を行っている間に前記記録部の修復を行うことが可能に構成されていることを特徴とする記録装置。
【請求項７】
請求項５に記載の記録装置において、
前記第１副集積部と前記第２副集積部とは、鉛直方向にずらされて配置されていることを特徴とする記録装置。
【請求項８】
被記録媒体に画像を記録部で記録する記録工程と、
前記記録工程で記録された画像における画像不良を検出する検出工程と、
前記検出工程で検出された画像不良に対して前記記録部とは別の補修記録部で補修記録を行う補修記録工程と、
を有することを特徴とする記録方法。
【発明の詳細な説明】
【技術分野】
【０００１】
本発明は、記録装置及び記録方法に関する。
【背景技術】
【０００２】
従来から、被記録媒体に画像を記録する記録装置が使用されている。このような記録装置のうち、被記録媒体に記録された画像における画像不良を検出し、該画像不良を補修することが可能な記録装置が開示されている。  
例えば、特許文献１には、被記録媒体に記録を行うヘッドユニットと画像不良を検出可能な検出部とを備え、前記検出部が画像不良を検出した場合には、前記ヘッドユニットを用いて該画像不良の補修を行うことが可能な記録装置が開示されている。
【先行技術文献】
【特許文献】
【０００３】
【特許文献１】特開平０９−２４６２７号公報
【発明の概要】
【発明が解決しようとする課題】
【０００４】
特許文献１の記録装置は、画像不良の補修を行うことが可能であるが、該記録装置は、被記録媒体に記録を行うヘッドユニットを用いて該画像不良の補修を行う構成である。このため、例えば連続して被記録媒体に記録を行う場合に画像不良が発生すると、該画像不良の補修を行う間は被記録媒体への記録が止まってしまい記録効率が低下していた。
【０００５】
そこで、本発明の目的は、被記録媒体に記録された画像における画像不良を効率よく補修することである。
【課題を解決するための手段】
【０００６】
上記課題を解決するための本発明の第１の態様の記録装置は、被記録媒体に画像を記録する記録部と、前記記録部で記録された画像における画像不良を検出する検出部と、前記記録部とは別に設けられ、前記検出部で検出された画像不良に対して補修記録を行う補修記録部と、を備えることを特徴とする。
【０００７】
本態様によれば、前記記録部とは別に設けられ、前記検出部で検出された画像不良に対して補修記録を行う補修記録部を備えている。このため、例えば連続して被記録媒体に記録を行う場合に画像不良が発生しても、該画像不良の補修を前記補修記録部で行っている間に前記記録部で記録を行うことができる。すなわち、前記被記録媒体に記録された画像における画像不良を効率よく補修することができる。
【０００８】
本発明の第２の態様の記録装置は、前記第１の態様において、前記記録部で記録された前記被記録媒体を集積する主集積部と、前記検出部の検出結果に基づいて前記被記録媒体を前記主集積部又は前記補修記録部に搬送する第１搬送部と、前記補修記録部に搬送された前記被記録媒体を前記主集積部に搬送する第２搬送部と、を備えることを特徴とする。
【０００９】
本態様によれば、前記第１搬送部は、前記検出部の検出結果に基づいて前記被記録媒体を前記主集積部又は前記補修記録部に搬送する。このため、前記検出部の検出結果に基づいて前記被記録媒体を前記主集積部又は前記補修記録部に仕分けることができる。
【００１０】
本発明の第３の態様の記録装置は、前記第２の態様において、前記被記録媒体の搬送経路において前記検出部と前記主集積部との間に設けられ、前記記録部で記録された前記被記録媒体を一時的に集積する副集積部を備えることを特徴とする。
【００１１】
被記録媒体に記録した順に前記主集積部に集積させることが望まれる場合がある。  
本態様によれば、前記被記録媒体の搬送経路において前記検出部と前記主集積部との間に設けられ、前記記録部で記録された前記被記録媒体を一時的に集積する副集積部を備える。このため、例えば連続して被記録媒体に記録を行う場合において、前記補修記録部で画像不良の補修を行っている間に前記副集積部に画像不良の無い被記録媒体を集積させておき、前記補修記録部で補修された被記録媒体を前記主集積部に集積させてから前記副集積部に集積された被記録媒体を前記主集積部に集積させることが可能になる。すなわち、被記録媒体に記録した順に前記主集積部に集積させることが可能になる。
【００１２】
本発明の第４の態様の記録装置は、前記第３の態様において、前記副集積部を複数備えることを特徴とする。
【００１３】
本態様によれば、前記副集積部を複数備えるので、被記録媒体に記録した順に前記主集積部に集積させることを効率的に行うことが可能になる。
【００１４】
本発明の第５の態様の記録装置は、前記第４の態様において、前記副集積部として、前記検出部で画像不良が検出された前記被記録媒体を一時的に集積する第１副集積部と、前記検出部で画像不良が検出されなかった前記被記録媒体を一時的に集積する第２副集積部と、を備えることを特徴とする。
【００１５】
本態様によれば、前記副集積部として、前記検出部で画像不良が検出された前記被記録媒体を一時的に集積する第１副集積部と、前記検出部で画像不良が検出されなかった前記被記録媒体を一時的に集積する第２副集積部と、を備える。このため、例えば連続して被記録媒体に記録を行う場合に、画像不良の有る被記録媒体を前記第１副集積部に一時的に集積させ、画像不良の無い被記録媒体を前記第２副集積部に一時的に集積させることで、被記録媒体に記録した順に前記主集積部に集積させることを効率的に行うことができる。
【００１６】
本発明の第６の態様の記録装置は、前記第１から第５のいずれか１つの態様において、前記記録部の修復部を備え、前記修復部は、前記補修記録部で補修記録を行っている間に前記記録部の修復を行うことが可能に構成されていることを特徴とする。
【００１７】
本態様によれば、前記修復部は、前記補修記録部で補修記録を行っている間に前記記録部の修復を行うことが可能に構成されている。このため、前記被記録媒体に記録された画像における画像不良を効率よく補修することができる。
【００１８】
本発明の第７の態様の記録装置は、前記第５の態様において、前記第１副集積部と前記第２副集積部とは、鉛直方向にずらされて配置されていることを特徴とする。
【００１９】
本態様によれば、前記第１副集積部と前記第２副集積部とは、鉛直方向にずらされて配置されている。このため、前記記録装置のスペースを有効に使うことができ、前記記録装置のコンパクト化が可能になる。
【００２０】
本発明の第８の態様の記録方法は、被記録媒体に画像を記録部で記録する記録工程と、前記記録工程で記録された画像における画像不良を検出する検出工程と、前記検出工程で検出された画像不良に対して前記記録部とは別の補修記録部で補修記録を行う補修記録工程と、を有することを特徴とする。
【００２１】
本態様によれば、前記記録部とは別に設けられる前記補修記録部で、前記検出部で検出された画像不良に対して補修記録を行う。このため、例えば連続して被記録媒体に記録を行う場合に画像不良が発生しても、該画像不良の補修を前記補修記録部で行う間にも前記記録部で記録を行うことができる。すなわち、前記被記録媒体に記録された画像における画像不良を効率よく補修することができる。
【図面の簡単な説明】
【００２２】
【図１】本発明の実施例１に係る記録装置のブロック図。
【図２】本発明の実施例１に係る記録装置の概略平面図。
【図３】本発明の実施例１に係る記録装置の概略側面図。
【図４】本発明の実施例１に係る記録装置の概略側面図。
【図５】本発明の実施例２に係る記録装置のブロック図。
【図６】本発明の実施例２に係る記録装置の概略平面図。
【図７】本発明の実施例２に係る記録装置の概略側面図。
【図８】本発明の実施例２に係る記録装置の概略側面図。
【図９】本発明の実施例３に係る記録装置の概略側面図。
【図１０】本発明の実施例１に係る記録方法を表すフローチャート。
【図１１】本発明の実施例２に係る記録方法を表すフローチャート。
【発明を実施するための形態】
【００２３】
以下に、本発明の一実施例に係る記録装置について、添付図面を参照して詳細に説明する。  
［記録装置の実施例１］（図１〜図４）  
最初に、本発明の実施例１に係る記録装置の概要について説明する。  
図１は本実施例の記録装置１のブロック図を表している。また、図２は本実施例の記録装置１の概略平面図を表している。また、図３及び図４は本実施例の記録装置１の概略側面図を表しており、図３は搬送部８側（補修記録部５が設けられている側）の側面図であり、図４は搬送部９側（補修記録部５が設けられていない側）の側面図である。  
なお、本実施例の記録装置は、記録部３に、インクを複数のノズルから吐出して記録する記録ヘッドＨと、該記録ヘッドＨのメンテナンスを行う修復部Ｃと、を備えた所謂インクジェット記録装置であるが、このような記録装置に限定されない。
【００２４】
本実施例の記録装置１は、被記録媒体Ｐに画像を記録する記録部３と、記録部３で記録された画像における画像不良を検出する検出部４と、記録部３とは別に設けられ、検出部４で検出された画像不良に対して補修記録を行う補修記録部５と、を備えている。  
このような構成により、例えば連続して被記録媒体Ｐに記録を行う場合に画像不良が発生しても、該画像不良の補修を補修記録部５で行っている間に記録部３で記録を行うことが可能になっている。すなわち、本実施例の記録装置１は、被記録媒体Ｐに記録された画像における画像不良を効率よく補修することができる構成になっている。
【００２５】
また、本実施例の記録装置１は、記録部３で記録された前記被記録媒体を集積する主集積部６を備えている。  
そして、記録部３で画像が記録された被記録媒体Ｐを検出部４に搬送する搬送部７を備えている。また、検出部４における検出結果に基づいて、搬送部８又は搬送部９のどちらに被記録媒体Ｐを送るかを仕分ける仕分け部１３を備えている。これら搬送部７、搬送部８、搬送部９及び仕分け部１３で、検出部４の検出結果に基づいて被記録媒体Ｐを主集積部６又は補修記録部５に搬送する、第１搬送部を形成している。このような構成により、検出部４の検出結果に基づいて被記録媒体Ｐを主集積部６又は補修記録部５に仕分けている。  
さらに、補修記録部５に搬送された被記録媒体Ｐを主集積部６に搬送する第２搬送部としての搬送部１０を備えている。
【００２６】
なお、図１で表されるように、本実施例の記録装置１はＰＣ２と電気的に接続され、ユーザーは、ＰＣ２から記録部３、検出部４及び補修記録部５に、指示信号や記録データ等の信号Ｓの送信を行うことが可能になっている。
【００２７】
また、検出部４と記録部３、検出部４と補修記録部５は電気的に接続されており、検出部４は画像不良を検出すると、記録部３と補修記録部５に画像不良を検出したことを表すＮＧ信号を送信する。  
補修記録部５は、ＮＧ信号を受信すると、画像不良が検出された被記録媒体Ｐの補修記録を行う。  
そして、記録部３がＮＧ信号を受信すると、不図示の制御部の制御により、補修記録部５で補修記録を行っている間に、修復部Ｃにより記録ヘッドＨの修復が行われる。  
このような構成により、被記録媒体Ｐに記録された画像における画像不良を効率よく補修している。  
なお、本実施例の修復部Ｃは、記録部３の記録ヘッドＨに設けられたインクを吐出するノズルからインクを吸引可能な吸引部と、記録ヘッドＨのノズル形成面をワイプ可能なワイパーとを有している。ただし、修復部Ｃの構成としてはこのような構成に限定されない。
【００２８】
また、図３及び図４で表されるように、搬送部７、８及び９は、回転駆動可能なローラーＲにより駆動する無端ベルトで構成されている。なお、図では表されていないが、搬送部１０及び仕分け部１３も搬送部７、８及び９と同様、回転駆動可能なローラーＲにより駆動する無端ベルトで構成されている。  
このような構成により、搬送部７は被記録媒体Ｐを方向Ａ１に搬送可能であり、搬送部８は被記録媒体Ｐを方向Ａ２に搬送可能であり、搬送部９は被記録媒体Ｐを方向Ａ３に搬送可能であり、搬送部１０は被記録媒体Ｐを方向Ａ４に搬送可能であり、仕分け部１３は被記録媒体Ｐを搬送部８及び９に仕分け可能である。
【００２９】
［実施例２］（図５〜図８）  
次に、実施例２の記録装置について、添付図面を参照して詳細に説明する。  
図５は本実施例の記録装置１のブロック図を表している。また、図６は本実施例の記録装置１の概略平面図を表している。また、図７及び図８は本実施例の記録装置１の概略側面図を表しており、図７は搬送部８側（補修記録部５が設けられている側）の側面図であり、図８は搬送部９側（補修記録部５が設けられていない側）の側面図である。なお、上記実施例と共通する構成部材は同じ符号で示しており、詳細な説明は省略する。  
なお、本実施例の記録装置１は、所定枚数までの被記録媒体Ｐを一時的に集積可能な第１副集積部１１が搬送部８側に設けられ、所定枚数までの被記録媒体Ｐを一時的に集積可能な第２副集積部１２が搬送部９側に設けられている以外は実施例１の記録装置１と同様の構成である。
【００３０】
図５から図８で表されるように、本実施例の記録装置１は、被記録媒体Ｐの搬送経路において検出部４と主集積部６との間に設けられ、記録部３で記録された被記録媒体Ｐを一時的に集積する副集積部として第１副集積部１１及び第２副集積部１２を備えている。  
なお、被記録媒体Ｐに記録した順に主集積部６に集積させることが望まれる場合がある。例えば、被記録媒体Ｐに記録した順に別に用意された封筒に該被記録媒体Ｐを封入する場合などである。  
上記のように、本実施例の記録装置１は、被記録媒体Ｐの搬送経路において検出部４と主集積部６との間に設けられ、記録部３で記録された被記録媒体Ｐを一時的に集積する副集積部を備えている。このため、例えば連続して被記録媒体Ｐに記録を行う場合において、補修記録部５で画像不良の補修を行っている間に前記副集積部に画像不良の無い被記録媒体Ｐを集積させておき、補修記録部５で補修された被記録媒体Ｐを主集積部６に集積させてから前記副集積部に集積された被記録媒体Ｐを主集積部６に集積させることが可能になっている。すなわち、被記録媒体Ｐに記録した順に主集積部６に集積させることが可能になっている。
【００３１】
また、図５から図８で表されるように、本実施例の記録装置１は、前記副集積部を第１副集積部１１及び第２副集積部１２と複数備えているので、被記録媒体Ｐに記録した順に主集積部６に集積させることを効率的に行うことが可能になっている。例えば、記録部３による記録時間と補修記録部５による補修記録時間とでは、記録部３で記録する画像の大きさや補修記録部５で補修記録する内容によって、どちらが短くなるかが変わってくる。また、記録部３による記録時間と補修記録部５による補修記録時間とでは、記録部３で記録する記録速度及び補修記録部５で補修記録する記録速度によって、どちらが短くなるかが変わってくる。このため、例えば、画像不良の無い被記録媒体Ｐを集積させる副集積部と画像不良の有る被記録媒体Ｐを集積させる副集積部とを設けることにより、被記録媒体Ｐに記録した順に主集積部６に集積させることを効率的に行うことが可能になる。
【００３２】
また、第１副集積部１１は検出部４で画像不良が検出された被記録媒体Ｐを一時的に集積する副集積部であり、第２副集積部１２は検出部４で画像不良が検出されなかった被記録媒体Ｐを一時的に集積する副集積部である。  
このような構成により、本実施例の記録装置１は、例えば連続して被記録媒体Ｐに記録を行う場合に、画像不良の有る被記録媒体Ｐを第１副集積部１１に一時的に集積させ、画像不良の無い被記録媒体Ｐを第２副集積部１２に一時的に集積させることで、被記録媒体Ｐに記録した順に主集積部６に集積させることを効率的に行うことができる。
【００３３】
なお、補修記録部５と第１副集積部１１、補修記録部５と第２副集積部１２は電気的に接続されている。そして、本実施例の補修記録部５は、ＮＧ信号を検出部４から受信すると、第２副集積部１２に、画像不良が検出されなかった被記録媒体Ｐを一時的に集積するよう指示信号を送信する。そして、第２副集積部１２は、補修記録部５からの送り指令（指示信号）を受信すると被記録媒体Ｐを主集積部６に搬送する。なお、補修記録部５がＮＧ信号を検出部４から受信する前は、画像不良が検出されなかった被記録媒体Ｐは第２副集積部１２に一時的に集積されることなく第２副集積部１２を経由して主集積部６に集積される。
【００３４】
また、補修記録部５は、ＮＧ信号を検出部４から受信すると、第１副集積部１１に、画像不良が検出された被記録媒体Ｐを一時的に集積するよう指示信号を送信する。こうして、画像不良が検出された被記録媒体Ｐは検出部４から第１副集積部１１に搬送されるが、第１副集積部１１は被記録媒体Ｐの集積数をカウント可能であり、該カウント数は補修記録部５に送信される。なお、補修記録部５が補修記録を行っていなければ画像不良が検出された被記録媒体Ｐはすぐに第１副集積部１１から補修記録部５に搬送されるが、補修記録部５が補修記録を行っている場合は、検出部４から第１副集積部１１に搬送される被記録媒体Ｐは集積される。
【００３５】
なお、図７及び図８で表されるように、第１副集積部１１及び第２副集積部１２は、共に、上側から集積され下側から搬送される構成である。このため、第１副集積部１１及び第２副集積部１２に集積された被記録媒体Ｐに関して記録順序を維持して主集積部６に送ることが可能な構成になっている。
【００３６】
本実施例の記録装置１は、このような構成により、被記録媒体Ｐに記録した順序と異なる順序とならないように、記録がなされた被記録媒体Ｐを主集積部６に集積させている。
【００３７】
［実施例３］（図９）  
次に、実施例２の記録装置について、添付図面を参照して詳細に説明する。  
図９は本実施例の記録装置１の概略側面図を表している。なお、上記実施例と共通する構成部材は同じ符号で示しており、詳細な説明は省略する。  
なお、本実施例の記録装置１は、第１副集積部１１と第２副集積部１２とが鉛直方向にずらされて配置されている以外は実施例２の記録装置１と同様の構成である。
【００３８】
図９で表されるように、本実施例の記録装置１は、第１副集積部１１と第２副集積部１２とが鉛直方向にずらされて配置されている。このため、記録装置１のスペースを有効に使っており、記録装置１をコンパクト化している。
【００３９】
［記録方法の実施例１］（図１０）  
次に、上記実施例１の記録装置１を用いた記録方法の実施例１について説明する。  
図１０は、本実施例の記録方法のフローチャートであり、１枚分の被記録媒体Ｐに対する記録に対応する記録方法である。したがって、ＰＣ２から入力した記録データに基づいて複数枚分の被記録媒体Ｐに対して記録を行う場合、図１０のフローチャートで表される記録方法（１枚分の被記録媒体Ｐに対する記録方法）を必要な枚数分だけ繰り返す。
【００４０】
本実施例の記録方法では、最初に、ステップＳ１１０において、１枚分の被記録媒体Ｐに対応する記録データを、記録部３、検出部４及び補修記録部５にマルチキャストで送信する。
【００４１】
次に、ステップＳ１２０において、ステップＳ１１０で送信された記録データに基づいて記録部３により記録し、記録がなされた被記録媒体Ｐを搬送部７により検出部４に搬送する。  
なお、被記録媒体Ｐに記録をした後、記録部３において、ＰＣ２から入力した記録データを削除する。
【００４２】
次に、ステップＳ１３０において、検出部４により記録がなされた被記録媒体Ｐに画像不良が有るかないかを検出する。具体的には、本実施例の記録装置１は、検出部４により画像を読み取り、読取データとＰＣ２から入力した記録データとを不図示の制御部で比較することにより被記録媒体Ｐに画像不良が有るかないかを判断する。  
ステップＳ１３０において画像不良が有ると判断された場合はステップＳ１６０に進み、ステップＳ１３０において画像不良が無いと判断された場合はステップＳ１９０に進む。  
なお、被記録媒体Ｐに画像不良が有るかないかを判断した後、検出部４において、ＰＣ２から入力した記録データを削除する。
【００４３】
ステップＳ１６０においては、不図示の前記制御部の制御により、補正データを作成するとともに、修復部Ｃにより記録部３の記録ヘッドＨの吐出不良ノズルを修復させる。そして、ステップＳ１７０に進む。
【００４４】
ステップＳ１７０では、補修記録部５により、補正データに基づく補修記録を行う。そして、ステップＳ１９０に進む。
【００４５】
ステップＳ１９０では、ステップＳ１３０において画像不良が無いと判断された被記録媒体Ｐ及びステップＳ１７０において補修記録部５により補修記録された被記録媒体Ｐを主集積部６に集積する。そして、本実施例の１枚分の被記録媒体Ｐに対する記録方法を終了する。
【００４６】
本実施例の記録方法によれば、記録部３とは別に設けられる補修記録部５で、検出部４で検出された画像不良に対して補修記録を行う。このため、例えば連続して被記録媒体Ｐに記録を行う場合に画像不良が発生しても、該画像不良の補修を補修記録部５で行う間にも記録部３で記録を行うことができる。すなわち、被記録媒体Ｐに記録された画像における画像不良を効率よく補修することができる。
【００４７】
［記録方法の実施例２］（図１１）  
次に、上記実施例２の記録装置１を用いた記録方法の実施例２について説明する。  
図１１は、本実施例の記録方法のフローチャートであり、実施例１の記録方法と同様、１枚分の被記録媒体Ｐに対する記録に対応する記録方法である。したがって、ＰＣ２から入力した記録データに基づいて複数枚分の被記録媒体Ｐに対して記録を行う場合、図１１のフローチャートで表される記録方法（１枚分の被記録媒体Ｐに対する記録方法）を必要な枚数分だけ繰り返す。
【００４８】
ステップＳ１１０からステップＳ１３０は、実施例１の記録方法と同様なので詳細な説明は省略する。  
ただし、本実施例の記録方法は、ステップＳ１３０において画像不良が有ると判断された場合はステップＳ１４０に進み、ステップＳ１３０において画像不良が無いと判断された場合はステップＳ１５０に進む。
【００４９】
ステップＳ１４０においては、ステップＳ１３０において画像不良が有ると判断された被記録媒体Ｐを第１副集積部１１に一時的に集積する。そして、補修記録部５において補修記録が行われていない状態のときに、補修記録部５に該被記録媒体Ｐを搬送し、ステップＳ１６０に進む。  
なお、その後のステップＳ１６０からステップＳ１９０までは、実施例１の記録方法と同様なので詳細な説明は省略する。
【００５０】
ステップＳ１５０においては、ステップＳ１３０において画像不良が無いと判断された被記録媒体Ｐを第２副集積部１２に一時的に集積する。そして、その後のステップＳ１８０において、第２副集積部１２から主集積部６に搬送するよう指示する送り指令（指示信号）が第２副集積部１２に補修記録部５から送信されるまで待って、ステップＳ１９０に進む。
【００５１】
本実施例の記録方法によれば、例えば連続して被記録媒体Ｐに記録を行う場合に、画像不良の有る被記録媒体Ｐを第１副集積部１１に一時的に集積させ、画像不良の無い被記録媒体Ｐを第２副集積部１２に一時的に集積させることで、被記録媒体Ｐに記録した順に主集積部６に集積させることを効率的に行うことができる。
【符号の説明】
【００５２】
１  記録装置、２  ＰＣ、３  記録部、４  検出部、５  補修記録部、６  主集積部、
７  搬送部（第１搬送部）、８  搬送部（第１搬送部）、９  搬送部（第１搬送部）、
１０  搬送部（第２搬送部）、１１  第１副集積部、１２  第２副集積部、
１３  搬送部（第１搬送部）、Ｃ  修復部、Ｈ  記録ヘッド、Ｐ  被記録媒体
【図１】
2015160357.tif 000003
【図２】
2015160357.tif 000004
【図３】
2015160357.tif 000005
【図４】
2015160357.tif 000006
【図５】
2015160357.tif 000007
【図６】
2015160357.tif 000008
【図７】
2015160357.tif 000009
【図８】
2015160357.tif 000010
【図９】
2015160357.tif 000011
【図１０】
2015160357.tif 000012
【図１１】
2015160357.tif 000013